(57)【要約】【課題】窓シャッターのシャッターケースに被せられる庇の幅寸法（開口幅方向）をなるべく小さく抑えてコンパクトな納まりを可能とする。【解決手段】シャッターケース２は第１取付金具８に取り付けられており、庇７は、シャッターケース２より大きい幅寸法を有し、庇７の幅方向両端部に位置して外壁Ｗに対して固定された第２取付金具９に取り付けられており、第２取付金具９の上側係止片９１は第１取付金具８の上側係止片８１の直上に位置しており、シャッターケース２が第１取付金具８に取り付けられた状態において、第２取付金具９の上側係止片９１はシャッターケース上面２０の上方に位置しており、庇は、シャッターケース２に被せられて、庇７の幅方向両端部の後面に位置して形成された上側係止部７４１２が上側係止片９１に係止されている。【選択図】図１０
2015101887.tif 000002
【特許請求の範囲】
【請求項１】
窓シャッターのシャッターケースに被せられる庇の取付構造であって、
外壁には庇取付用の上側係止片が形成されており、
前記シャッターケースが外壁に取り付けられた状態において、前記上側係止片の幅方向の少なくとも一部が、前記シャッターケースの幅方向両端部の直上で当該両端部の内側に位置しており、
前記庇は、前記シャッターケースを覆うように被せられて、当該庇の幅方向両端部の後面に位置して形成された上側係止部が前記上側係止片に係止されている、
庇の取付構造。
【請求項２】
前記シャッターケースは、当該シャッターケースの幅方向両端部に位置して外壁に対して固定された第１取付金具に取り付けられており、
前記庇は、前記シャッターケースより大きい幅寸法を有し、当該庇の幅方向両端部に位置して外壁に対して固定された第２取付金具に取り付けられており、
前記第２取付金具は上側係止片を備えており、
前記庇は、前記シャッターケースを覆うように被せられて、当該庇の幅方向両端部の後面に位置して形成された上側係止部が前記第２取付金具の上側係止片に係止されている、
請求項１に記載の庇の取付構造。
【請求項３】
前記第１取付金具は上側係止片を備えており、
前記第２取付金具の上側係止片は、前記第１取付金具の上側係止片の直上に位置している、請求項２に記載の庇の取付構造。
【請求項４】
前記第２取付金具は下側取付片を備え、前記下側取付片は、前記シャッターケースが前記第１取付金具に取り付けられた状態において、シャッターケース側面の外側に位置しており、
前記庇の幅方向両端部の後面には、前記下側取付片に固定される下側連結片が形成されている、
請求項３に記載の庇の取付構造。
【請求項５】
前記第２取付部材には、前記上側係止片と前記下側取付片の間で、シャッターケース側面の外側に位置して、第２取付金具の面部に対して垂直で高さ方向に延びる側片が形成されており、
前記庇の幅方向両端部の後面には、前記側片が係止される係止部が形成されている、
請求項４に記載の庇の取付構造。
【請求項６】
前記第２取付金具の面部の高さ寸法、幅寸法は、前記第１取付金具の面部の高さ寸法、幅寸法よりも大きく、
前記第１取付金具の面部は、前記第２取付金具の面部に位置決めされ、重ね合わせて前記第２取付金具及び前記外壁に固定されている、
請求項２〜５いずれか１項に記載の庇の取付構造。
【請求項７】
前記第２取付金具の面部は、垂直状の細幅部と、細幅部の上側の幅広部と、から逆Ｌ字状に形成されており、前記幅広部に前記上側係止片が形成されている、
請求項２〜５いずれか１項に記載の庇の取付構造。
【請求項８】
外壁に対する庇の突出寸法は、外壁に対するシャッターケースの突出寸法の２倍以上である、
請求項１〜７いずれか１項に記載の庇の取付構造。
【発明の詳細な説明】
【技術分野】
【０００１】
本発明は、庇の取付構造に係り、詳しくは、窓シャッターのシャッターケースに被せられる庇の取付構造に関するものである。
【背景技術】
【０００２】
庇は、窓開口部の屋外側の上方に取り付けられる小型の屋根であり、雨の降り込みや日除けの役目を有している。また、窓開口部の屋外側に窓シャッターを取り付ける場合には、窓シャッターのシャッターケースが窓開口部の屋外側の上方に取り付けられる。窓シャッターの取付構造は、例えば、特許文献１に記載されている。
【０００３】
窓開口部の屋外側に庇と窓シャッターの両方を設ける場合には、窓シャッターのシャッターケースと庇を同じ構造体から構成することもできるが、窓シャッターのシャッターケースの構造に変更を加えたくない場合もある。例えば、防火用の窓シャッターにおいて、防火試験をクリアした窓シャッターのシャッターケース構造を変更すれば防火試験のやり直しが必要となってしまう。したがって、窓シャッターのシャッターケースをそのまま用いた複合型の庇構造を採用することが考えられる。
【０００４】
特許文献２には、シャッターボックスを被覆するようにして設けられた窓庇構造が記載されている。庇の前面及び側面には人工木材が設けられており、木造住宅に合致する木質感を得ることを主目的としたものであり、庇の幅寸法（開口幅方向）をなるべく小さく抑えてコンパクトな納まりとするといった着想は無い。
【特許文献１】特開２０００−１１０４６０号
【特許文献２】特開２００２−２１３０４１号
【発明の開示】
【発明が解決しようとする課題】
【０００５】
本発明は、窓シャッターのシャッターケースに被せられる庇の幅寸法（開口幅方向）をなるべく小さく抑えてコンパクトな納まりを可能とする庇の取付構造を提供することを目的とする。
【課題を解決するための手段】
【０００６】
本発明が採用した技術手段は、
窓シャッターのシャッターケースに被せられる庇の取付構造であって、
外壁には庇取付用の上側係止片が形成されており、
前記シャッターケースが外壁に取り付けられた状態において、前記上側係止片の幅方向の少なくとも一部が、前記シャッターケースの幅方向両端部の直上で当該両端部の内側に位置しており、
前記庇は、前記シャッターケースを覆うように被せられて、当該庇の幅方向両端部の後面に位置して形成された上側係止部が前記上側係止片に係止されている、
庇の取付構造、である。
１つの態様では、前記シャッターケースが外壁に取り付けられた状態において、前記上側係止片の幅方向全部が前記シャッターケースの幅方向両端部の直上で当該両端部の内側に位置している。
１つの態様では、前記シャッターケースは、当該シャッターケースの幅方向両端部に位置して外壁に対して固定された第１取付金具に取り付けられており、
前記庇は、前記シャッターケースより大きい幅寸法を有し、当該庇の幅方向両端部に位置して外壁に対して固定された第２取付金具に取り付けられており、
前記第２取付金具は上側係止片を備えており、
前記庇は、前記シャッターケースを覆うように被せられて、当該庇の幅方向両端部の後面に位置して形成された上側係止部が前記第２取付金具の上側係止片に係止されている。
本実施形態において、前記シャッターケースが前記第１取付金具に取り付けられた状態において、前記第２取付金具の上側係止片の幅方向の少なくとも一部はシャッターケース上面の上方に位置している。
１つの態様では、前記シャッターケースが前記第１取付金具に取り付けられた状態において、前記第２取付金具の上側係止片の幅方向全部がシャッターケース上面の上方に位置している。
１つの態様では、前記第１取付金具は上側係止片を備えており、第２取付金具の上側係止片は第１取付金具の上側係止片の直上に位置している。
なお、本明細書において「直上」とは、異なる高さに位置する２つの部材において、下側の部材の幅方向の部分と、上側の部材の幅方向の部分が少なくとも部分的に重なっている場合を意味する。後述する図示の態様では、第２取付金具の上側係止片は第１取付金具の上側係止片よりも大きい幅寸法を備え、かつ、第２取付金具の上側係止片は第１取付金具の上側係止片全体と重なっている。
【０００７】
１つの態様では、前記第２取付金具は下側取付片を備え、前記下側取付片は、前記シャッターケースが前記第１取付金具に取り付けられた状態において、シャッターケース側面の外側に位置しており、
前記庇の幅方向両端部の後面には、前記下側取付片に固定される下側連結片が形成されている。
【０００８】
１つの態様では、前記第２取付部材には、前記上側係止片と前記下側取付片の間で、シャッターケース側面の外側に位置して、第２取付金具の面部に対して垂直で高さ方向に延びる側片が形成されており、
前記庇の幅方向両端部の後面には、前記側片が係止される係止部が形成されている。後述する実施形態では、前記側片が係止される係止部は係止溝であるが、係止部は溝には限定されない。
【０００９】
１つの態様では、前記第２取付金具の面部の高さ寸法、幅寸法は、前記第１取付金具の面部の高さ寸法、幅寸法よりも大きく、
前記第１取付金具の面部は、前記第２取付金具の面部に位置決めされ、重ね合わせて前記第２取付金具及び前記外壁に固定されている。
この態様では、第１取付金具は第２取付金具を介して間接的に外壁に固定されている。
１つの態様では、前記第２取付金具の下端（下側取付片を備える場合には、当該下側取付片よりも下方に位置して）に底片が形成されており、各第２取付金具の底片を窓装置の上側の水平枠の幅方向両端部に当接させることで、第２取付金具の位置決めを行う。
第２取付金具に対する第１取付金具の位置決めは、例えば、第１取付金具の下端に突設した突片を第２取付金具の底片に形成した受孔に差し込むことで行われる。
【００１０】
１つの態様では、前記第２取付金具の面部は、垂直状の細幅部と、細幅部の上側の幅広部と、から逆Ｌ字状に形成されており、前記幅広部に前記上側係止片が形成されている。第２取付金具の面部を逆Ｌ字状に形成することで、既に設置されている窓シャッターに対して第２取付金具及び庇を後付けすることが可能となる。なお、本態様は、第２取付金具及び庇を後付けすることに限定されない。
この態様では、第１取付金具、第２取付金具は、それぞれ直接を壁に固定されている。
１つの態様では、前記細幅部の側縁の所定部位を、前記第１取付金具の面部の側縁の所定部位に係合させることで位置決めされ、前記外壁に固定されている。
１つの態様では、前記細幅部の側縁及び前記第１取付金具の面部の側縁のいずれか一方に凹部、他方に凸部が形成されており、前記凹部と前記凸部とを係合し、側縁同士を当接させることで、第１取付金具に対する第２取付金具の位置決めが行われる。
また、１つの態様では、前記第１取付金具の下端には垂下状の突片が形成されており、各第１取付金具の突片を窓装置の上側の水平枠の幅方向両端部に当接させることで、第１取付金具の位置決めを行う。
【００１１】
１つの態様では、外壁に対する庇の突出寸法は、外壁に対するシャッターケースの突出寸法の２倍以上である。
【発明の効果】
【００１２】
本発明では、窓シャッターと庇の幅方向の寸法差が小さいコンパクトな納まりの庇の取付構造を提供することができ、庇の納まりの自由度を確保しつつ良好な外観が得られる。例えば、窓シャッターのシャッターケースの側面際までしか躯体側の下地がない場合、あるいは、窓シャッターのシャッターケースの側面際に外壁のシーリングラインがある場合であっても、庇の追加設置が可能となる。
【００１３】
本発明では、庇をシャッターケースに被せて取り付けることで、日除け効果を向上させることができ、また、火災時に上階への延焼を防止することができる。
【図面の簡単な説明】
【００１４】
【図１】庇が取り付けられた窓シャッター装置の一部省略縦断面図である。
【図２】窓シャッターのシャッターケース及び当該シャッターケースに被せられた庇を示す縦断面図である。
【図２Ａ】図２の部分拡大図である。
【図３】複合取付金具にシャッターケースが取り付けられた状態に対して、庇を被せる工程を示す斜視図である。
【図４】複合取付金具に取り付けられたシャッターケースに対して、庇を被せた状態を示す斜視図であり、便宜上内部のシャッターケースも示している。
【図５】庇がシャッターケースに被せられた状態において、庇とシャッターケースとの寸法関係を示す図である。
【図６】庇のブラケット７４の部品図である。
【図７】第１実施例に係る複合取付金具に用いられる庇用取付金具の部品図である。
【図８】第１実施例に係る複合取付金具の取り付けを示す図である。
【図９】第１実施例に係る複合取付金具に対するシャッターケースの取り付けを示す図である。
【図１０】上図は、第１実施例に係る複合取付金具に対する庇の取り付けを示す図、下図は、第１実施例に係る複合取付金具の構成を示す図である。
【図１１】第１実施例に係る複合取付金具を正面から見た図及び庇用取付金具の側面図である。
【図１２】上図は、第２実施例に係る複合取付金具に対する庇の取り付けを示す図、下図は、第２実施例に係る複合取付金具の構成を示す図である。
【発明を実施するための形態】
【００１５】
本発明の実施形態を図面に基づいて詳細に説明する。図１に示すように、建物の窓開口部に設置した窓装置１の室外側には窓シャッター装置が設けてあり、窓シャッター装置は、窓開口部の上方に位置して、外壁Ｗに持ち出し状に取り付けられたシャッターケース２と、窓開口部の幅方向両側に位置して窓装置のサッシ枠に対して持ち出し状に取り付けられた左右のガイドレール３（ガイドレール下地枠３０に取り付けられる）と、シャッターケース２内に設けた巻取シャフト４と、上端が巻取シャフト４に連結されており、巻取シャフト４に巻き取られ／繰り出されることで、幅方向両端部がガイドレール３のガイド溝に案内されながら昇降して窓開口部の室外側部位を開閉するシャッターカーテン５（図１では巻取シャフト４に巻き取られた状態を示す）と、窓開口部の下方に位置して、持ち出し状に取り付けられた下枠（水切板）６と、を備えている。外壁Ｗには、シャッターケース１を覆うように庇７が設けてある。本実施形態では、窓シャッターは、防火性能を備えた窓シャッターであり、窓開口部に対して所定の防火性能を備えている。庇７は、火災時に上階への延焼を防止すると共に、日除け効果を発揮する。
【００１６】
図２、図３に示すように、シャッターケース２のケース板は、上面ケース板２０、正面ケース板２１、下面ケース板２２、側面ケース板２３、から形成されている。シャッターケース２のフレーム構造は、開口幅方向（左右方向）に間隔を存して、外壁Ｗに対して持ち出し状に設けた左右のブラケット２４と、左右のブラケット２４間を架け渡すように水平状に延びる複数本の長尺材（ケースアングル材）２５からなり、ケースアングル材２５の長さ方向の一方の端部が左側のブラケット２４に連結され、他方の端部が右側のブラケット２４に連結されている。
【００１７】
図２に示すように、ブラケット２４は、外壁Ｗに対して持ち出し状（直角）に延びる垂直状の面部２４０を有し、巻取シャフト４の長さ方向の一方の端部は左側のブラケット２４の面部２４０に支持され、他方の端部は右側のブラケット２４の面部２４０に支持されている。面部２４０は方形状の形状を備えており、上縁、前縁、下縁、後縁には面部２４０に対して垂直状に折り曲げ形成された折曲片が適宜形成されている。ブラケット２４は、面部２４０の後縁に形成された後片２４１（上側係止部２４１０、下側連結片２４１１）を介して、外壁Ｗに取り付けられる。
【００１８】
外壁Ｗには、ブラケット２４の取付金具（引掛金具）８が直接あるいは間接的に固定されている。後者は、取付金具８が外壁Ｗに取り付けられた取付金具９（後述する）に対して取り付けられる場合である（図８〜図１１参照）。図１０、図１２に示すように、取付金具８は、プレート状の面部８０と、面部８０の上端に形成された上側係止片８１と、面部８０の下端に形成された折り返し状の下側取付片８２と、を備えている。ブラケット２４は、後片２４１の上側係止部２４１０を取付金具８の上側係止片８１に係止させ、折曲片２４１の下側連結片２４１１を取付金具８の下側取付片８２に重ね合わせて螺子Ｓで固定することで、取付金具８に取り付けられる。取付金具８に対するシャッターケース２のブラケット２４の取付には従来のシャッターケースの取付構造を用いることができ、例えば、特許文献１を参照することができる。
【００１９】
図２〜図４に示すように、庇７は、上面板７０、正面板７１、下面板７２、側面板７３から形成されている。なお、図１、図２に示す態様では、上面板７０の下方には第２上面板７００が形成されており、上面板７０と第２上面板７００との間には不燃ボード７０１が設けてある。下面板７２の基端側（外壁Ｗ側）はシャッターケース２の下面２２に対応して開口が形成されており、シャッターケース２の下面２２が露出している。庇７のフレーム構造は、開口幅方向（左右方向）に間隔を存して、外壁Ｗに対して持ち出し状に設けた左右のブラケット７４と、左右のブラケット７４間を架け渡すように水平状に延びる複数本の長尺材（ケースアングル材）７５からなり、ケースアングル材７５の長さ方向の一方の端部が左側のブラケット７４に連結され、他方の端部が右側のブラケット７４に連結されている。
【００２０】
図６に示すように、ブラケット７４は、外壁Ｗに対して持ち出し状（直角）に延びる垂直状の面部７４０を有し、面部７４０は台形状の形状を備えており、垂直状の後縁、前方に向かって下向き傾斜状の上縁、垂直状の前縁、水平状の下縁には面部７４０に対して垂直状に折り曲げ形成された後片７４１、上片７４２、前片７４３、下片７４４が形成されている。ブラケット７４は、面部７４０の後縁に形成された後片７４１を介して、外壁Ｗに取り付けられる。
【００２１】
後片７４１は、細幅部７４１０と、細幅部７４１０の上端側に形成された幅広部７４１１と、から逆Ｌ字形状を備え、幅広部７４１１の水平状の下縁が上側係止部７４１２を形成しており、細幅部７４１０の下端の折り曲げ片が下側連結片７４１３を形成している。細幅部７４１０の下側には、垂直状に縦長の係止溝７４１４が形成されている。
【００２２】
外壁Ｗには、ブラケット７４の取付金具（引掛金具）９が螺子で固定されている。取付金具９の面部には上側係止片９１、下側係止片９２が形成されている。本明細書では、後述するように、異なる面部形状、具体的には、縦長方形状の面部９０（図７）、逆Ｌ字状の面部９０Ａ＋９０Ｂ（図１２）、を備えた２つの実施例を開示する。図７、図１２に示すように、取付金具９は、これら面部９０、９０Ａ＋９０Ｂの上端に形成された上側係止片９１と、これら面部９０、９０Ａ＋９０Ｂの下端に折り曲げ形成された下側取付片９２と、上側係止片９１と下側取付片９２との間に位置して、面部９０、９０Ａ＋９０Ｂ（図示の態様では、面部９０、細幅部９０Ａの下半部位）に形成された垂直で高さ方向に延びる側片９５と、を備えている。
【００２３】
図３に示すように、シャッターケース２が取付金具８に取り付けられた状態において、取付金具９の上側係止片９１はシャッターケース上面２０の上方に位置しており、取付金具９の下側取付片９２、側片９５はシャッターケース側面２３の外側に位置しており、側片９５はシャッターケース側面２３に離間対向している。
【００２４】
図３、図４に示すように、庇７は、シャッターケース２の上面２０、前面２１、側面２３を覆うように被せられて、庇２のブラケット７４の後片７４１の上側係止部７４１２を取付金具９の上側係止片９１に掛止させ、後片７４１の係止溝７４１４に取付金具９の側片９５を差し込み、後片７４１の下側連結片７４１３を取付金具９の下側取付片９２に重ね合わせて螺子Ｓ（図２Ａ参照）で固定することで、外壁Ｗに取り付けられる。
【００２５】
取付金具９の上側係止片９１は、庇７の幅方向両端の上面７０を支持する要素であり、下側取付片９２は、庇７の幅方向両側面７３の下部をブラケット７４の下側連結片７４１３に螺子で固定することで、庇７の耐吹上用の要素として機能し、庇７の幅方向両端で垂直状の各側片９５が係止溝７４１４に係止され、この側片９５は、庇７の両側面７３の拡がりを防止して庇７を支持する要素として機能する。
【００２６】
図５左図に示すように、庇７がシャッターケース２に被せられた状態で、庇７の開口幅方向の寸法Ｗ２は、シャッターケース２の開口幅寸法Ｗ１に対して寸法差が小さいコンパクトな納まりとなっている。これは、取付金具９の上側係止片９１をシャッターケース上面２０の上方に位置するように構成し、シャッターケース上面２０上方の上側係止片９１に対して庇７を引掛けるようにしたことによるものである。シャッターケース２が取付金具８に取り付けられた状態において、取付金具９は高さ方向に延びる細幅部位のみ（上記寸法差に対応する）がシャッターケース側面２３の外側に位置しており、この細幅部位の下端に下側取付片９２が形成されている。また、側片９５は、垂直方向に延びる片であり、正面視において当該細幅部位内に納まっている。窓シャッターと庇７の幅方向の寸法差が小さいコンパクトな納まりとすることで、庇７の納まりの自由度を確保しつつ良好な外観が得られる。例えば、窓シャッターのシャッターケース２の側面２３際までしか躯体側の下地がない場合、あるいは、窓シャッターのシャッターケース２の側面２３際に外壁のシーリングラインがある場合であっても、庇７の追加設置が可能となる。
【００２７】
図５右図に示すように、外壁Ｗに対する庇７の突出寸法Ｐ２は、外壁Ｗに対するシャッターケース２の突出寸法Ｐ１の２倍以上となっている。出寸法の大きい庇７をシャッターケース２に被せて取り付けることで、日除け効果を向上させることができ、また、火災時における上階への延焼を良好に防止することができる。
【００２８】
［第１実施例］
複合取付金具（取付金具８＋取付金具９）の第１実施例について図７〜図１１を参照しつつ説明する。図７に示すように、取付金具９は、上縁９００、第１側縁９０１、第２側縁９０２、下縁９０３を備えた縦長方形状のプレート状の面部９０を備え、面部９０の上縁９００には第１側縁９０１側に寄った位置に被係止片９１が形成されており、面部９０の下縁９０３には水平状の底片９３が折り曲げ形成されており、底片９３の所定部位には受孔９４が形成されている。
【００２９】
底片９３の幅寸法は下縁９０３の幅寸法よりも小さく、面部９０の下縁９０３の第２側縁９０２側には、底片９３よりも少し上方の高さ位置で水平状の下側取付片９２が折り曲げ形成されている。
【００３０】
面部９０の第２側縁９０２の下方側には、垂直で高さ方向に延びる側片９５が折曲形成されている。図８〜図１１では、側片９５は第２側縁９０２に対して内側（第１側縁９０１側）に位置しているが、図７に示すように、側片９５を第２側縁９０２と同じ位置で形成してもよい。
【００３１】
図８に示すように、庇７の幅方向両端部に設けられる左右の取付金具９は、第１側縁９０１同士が対向し、第２側縁９０２が互いに離間するような配置で外壁Ｗに取り付けられる。左右の取付金具９は、底片９３を窓装置１の上側の水平枠１０の幅方向両端に位置させて（具体的には、それぞれ左右の取付金具９において、底片９３の外側端縁と水平枠１０の幅方向端部とを一致させて）当接させて、面部９０を複数箇所で螺子によって外壁Ｗに固定される。
【００３２】
図１０下図に示すように、取付金具８は、上縁８００、第１側縁８０１、第２側縁８０２、下縁８０３を備えた縦長方形状の面部８０を備え、面部８０の上縁８０１には上側係止片８１が形成されており、面部８０の下縁８０３には下側取付片８２が形成されており、下縁８０３には、下側取付片８２の両側に隣接して２つの突片８３が垂下状に下方に突成されている。
【００３３】
取付金具９の面部９０の高さ寸法、幅寸法は、取付金具８の面部８０の高さ寸法、幅寸法よりも大きく、取付金具８は、第１側縁８０１を取付金具９の第１側縁９０１に一致させ、第２側縁８０２側の突片８３を受孔９４に差し込んで位置決めした状態で、面部８０を面部９０に重ね合わせて、複数箇所で螺子によって取付金具９及び外壁Ｗに固定されている。
【００３４】
図１１に示すように、取付金具８の下方の２つの突片８３の下端縁は同じ高さ位置にあり、取付金具８が取付金具９に固定された状態において、第２側縁８０２側の突片９３は取付金具９の受孔９４に挿入係止され、第１側縁８０１側の突片９３は取付金具９の底片９４の第１側縁９０１側に位置するようになっており、かつ、２つの突片８３の下端縁と底片９３の下面は面一にある。上述のように、底片９３の下面は窓装置１の上側の水平枠１０の上面に当接している。
【００３５】
図９、図１０に示すように、取付金具８の面部８０と取付金具９の面部９０を重ねて配置したことで、取付金具８が取付金具９に固定された状態において、
上側係止片９１は上側係止片８１の直上に離間して位置し、取付金具９の面部９０は、第２側縁９０２側の高さ方向に延びる細幅部位が露出しており、当該細幅部位の下端の下側取付片９２は下側取付片８２の第２側縁８０２側（取付部材８の面部８０の第２側縁８０２の外側）かつ少し下方に位置しており、当該細幅部位に形成された側片９５は取付部材８の第２側縁８０２に離間対向している。
【００３６】
図８に示すように、先ず取付金具９の底片９３を窓装置１の上側の水平枠１０の幅方向両端に位置させて当接させて、面部９０を複数箇所で螺子によって外壁Ｗに固定し、次いで、図９に示すように、取付金具８を、外壁Ｗに固定された取付金具９の面部９０に取付金具８０の面部８０を位置決めして重ね合わせて螺子で取付金具９及び外壁Ｗに固定することで複合型の取付金具（取付金具８＋取付金具９）が外壁Ｗの同じ下地に形成される。そして、取付金具８を用いてシャッターケース２を外壁Ｗに取り付ける。
【００３７】
図１０上図に示すように、シャッターケース２が取付金具８に取り付けられた状態において、取付金具９の上側係止片９１はシャッターケース上面２０の上方に位置しており、取付金具９の下側取付片９２、側片９５はシャッターケース側面２３の外側に位置しており、側片９５はシャッターケース側面２３に離間対向している。
【００３８】
庇７は、シャッターケース２の上面２０、前面２１、側面２３を覆うように被せられて、庇２のブラケット７４の後片７４１の上側係止部７４１２を取付金具９の上側係止片９１に掛止させ、後片７４１の係止溝７４１４に取付金具９の側片９５を差し込み係止させ、後片７４１の下側連結片７４１３を取付金具９の下側取付片９２に重ね合わせて螺子Ｓで固定することで、外壁Ｗに取り付けられる。
【００３９】
［第２実施例］
複合取付金具（取付金具８＋取付金具９）の第２実施例について図１２を参照しつつ説明する。取付金具９の面部は、細幅部（垂直片）９０Ａと、細幅部９０Ａの上端側の幅広部（水平片）９０Ｂと、から逆Ｌ字状に形成されており、縦長方形状の切り欠き部９０Ｃが形成されている。取付金具９の面部は、幅広部９０Ｂの上縁９００´、下縁９００´´、側縁９００´´´、細幅部９０Ａの第１側縁９０１´、第２側縁９０２´、細幅部９０Ａの下縁９０３´を備えており、下縁９００´´と第１側縁９０１´が切り欠き部９０Ｃに面している。
【００４０】
上縁９００´には側縁９００´´´寄りに被係止片９１が形成されており、面部の細幅部９０Ａの下縁９０３´には水平状の下側取付片９２が折り曲げ形成されている。細幅部９０Ａの第１側縁９０１´は、切り欠き部９０Ｃに対向しており、所定位置に位置決め凸片９６が突成されている。細幅部９０Ａの第２側縁９０２´の下方側には、垂直で高さ方向に延びる側片９５が折曲形成されている。
【００４１】
取付金具８は、下端の突片８３の下端縁を窓装置１の上側の水平枠の幅方向両端に位置させて当接させて、面部８０の複数箇所で螺子によって外壁Ｗに固定される。取付金具９の切り欠き部９０Ｃは取付金具８の面部８０を受け入れる形状・寸法を備えており、取付金具８の第２側縁８０２の所定位置には、位置決め凹部８４が形成されている。取付金具９は、外壁Ｗに固定された取付金具８の位置決め凹部８４に、取付金具９の位置決め凸部９６を係合させて、第１側縁９０１´を第２側縁８０に当接させることで位置決めして、螺子で外壁Ｗに固定される。
【００４２】
取付金具９が取付金具８に位置決めされ、外壁Ｗに固定された状態において、上側係止片９１は上側係止片８１の直上に離間して位置し、下側取付片９２は下側取付片８２の第２側縁８０２側（取付部材８の面部８０の第２側縁８０２の外側）かつ少し下方に位置しており、側片９５は取付部材８の第２側縁８０２に離間対向している。図１２に示すように、取付金具９は、取付金具８にシャッターケース２が取り付けられた状態で取付金具８に対して位置決め固定することができる。すなわち、既に設置されている窓シャッターに対して取付金具９及び庇７を後付けすることができる。
【００４３】
シャッターケース２が取付金具８に取り付けられた状態において、取付金具９の上側係止片９１はシャッターケース上面２０の上方に位置しており、取付金具９の下側取付片９２、側片９５はシャッターケース側面２３の外側に位置しており、側片９５はシャッターケース側面２３に離間対向している。
【００４４】
庇７は、シャッターケース２の上面２０、前面２１、側面２３を覆うように被せられて、庇２のブラケット７４の後片７４１の上側係止部７４１２を取付金具９の上側係止片９１に掛止させ、後片７４１の係止溝７４１４に取付金具９の側片９５を差し込み係止し、後片７４１の下側連結片７４１３を取付金具９の下側取付片９２に重ね合わせて螺子で固定することで、外壁Ｗに取り付けられる。
【符号の説明】
【００４５】
２  シャッターケース
７  庇
７４１  後片
７４１２  上側係止部
７４１３  下側連結片
７４１４  係止溝
８  取付金具
８０  面部
９  取付金具
９０  面部
９１  上側係止片
９２  下側取付片
９５  側片
【図１】
2015101887.tif 000003
【図２】
2015101887.tif 000004
【図２Ａ】
2015101887.tif 000005
【図３】
2015101887.tif 000006
【図４】
2015101887.tif 000007
【図５】
2015101887.tif 000008
【図６】
2015101887.tif 000009
【図７】
2015101887.tif 000010
【図８】
2015101887.tif 000011
【図９】
2015101887.tif 000012
【図１０】
2015101887.tif 000013
【図１１】
2015101887.tif 000014
【図１２】
2015101887.tif 000015